(57)【要約】【課題】共通電極に共通電圧を伝達する共通電圧線と共通電極とを電気的に接続し、かつ上部基板と下部基板との間のセルギャップを一定に調節しながらも液晶表示装置の開口率の低下を防ぐことのできる液晶表示装置を提供すること。【解決手段】第１基板と、前記第１基板の上に形成されているゲート線と、データ線及び共通電圧線と、前記ゲート線と、データ線及び共通電圧線の上に形成されている第１保護膜と、前記第１保護膜の上に形成されており、第２保護膜を挟んで重なり合う画素電極及び共通電極と、を備え、前記共通電極は前記共通電圧線と共通接触孔を介して接続し、前記共通接触孔は２以上のドットＤＯＴごとに一つずつ配置されている液晶表示装置。【選択図】  図１Ａ
2015018246.tif 000002
【特許請求の範囲】
【請求項１】
第１基板と、
前記第１基板の上に形成されているゲート線、データ線及び共通電圧線と、
前記ゲート線、データ線及び共通電圧線の上に形成されている第１保護膜と、
前記第１保護膜の上に形成されており、第２保護膜を挟んで重なり合う画素電極及び共通電極と、
を備え、
前記共通電極は前記共通電圧線と共通接触孔を介して接続され、
前記共通接触孔は２以上のドット（ＤＯＴ）ごとに一つずつ配置されていることを特徴とする、液晶表示装置。
【請求項２】
前記第１基板と向かい合う第２基板と、
前記第１基板と前記第２基板との間の間隔を維持するスペーサと、
前記スペーサと重なり合う遮光部材とをさらに備え、
前記共通接触孔は、前記スペーサと隣設されており、
前記共通接触孔は、前記遮光部材と重なり合っていることを特徴とする、請求項１に記載の液晶表示装置。
【請求項３】
前記共通電圧線は、隣り合う２本の前記ゲート線の間に配設され、前記共通電圧線と前記２本の前記ゲート線との間の間隔は互いにほとんど等しいことを特徴とする、請求項２に記載の液晶表示装置。
【請求項４】
前記共通電圧線は前記共通接触孔と重なり合う拡張部を備え、
前記データ線は複数のデータ線を備え、
隣り合う画素行に形成されている前記共通電圧線の前記拡張部は異なるデータ線と重なり合っていることを特徴とする、請求項３に記載の液晶表示装置。
【請求項５】
前記共通電圧線は、前記データ線と並んで伸びている第１延長部及び第２延長部を備え、
前記第１延長部は前記データ線を基準として左側に配設され、
前記第２延長部は前記データ線を基準として右側に配設されていることを特徴とする、請求項４に記載の液晶表示装置。
【請求項６】
前記共通電圧線は、前記データ線と並んで伸びている第３延長部及び第４延長部をさらに備え、
前記第１延長部及び前記第３延長部は前記データ線を基準として左側に配設され、
前記第２延長部及び前記第４延長部は前記データ線を基準として右側に配設され、
前記第１延長部及び前記第２延長部は前記共通電圧線から前記データ線に沿って上方に伸びており、
前記第３延長部及び前記第４延長部は前記共通電圧線から前記データ線に沿って下方に伸びており、
前記第１延長部及び前記第３延長部は互いに一列に伸びておらず、前記第２延長部及び前記第４延長部は互いに一列に伸びていないことを特徴とする、請求項５に記載の液晶表示装置。
【請求項７】
前記第１延長部は前記共通電圧線から前記データ線に沿って上方または下方に伸びており、
前記第２延長部は前記第１延長部が伸びている方向とは反対の方向に伸びていることを特徴とする、請求項５に記載の液晶表示装置。
【請求項８】
前記共通電圧線は、前記共通接触孔に向かって伸びている接続部をさらに備え、
前記接続部は、前記データ線を基準として左側に配設される第１縦部と、前記データ線を基準として右側に配設される第２縦部と、前記第１縦部及び前記第２縦部を継ぐ横部と、を備えていることを特徴とする、請求項４に記載の液晶表示装置。
【請求項９】
前記共通電圧線は、前記データ線と並んで伸びている第１延長部及び第２延長部を備え、
前記第１延長部及び前記第２延長部の幅は前記データ線の幅よりも広く、
前記第１延長部は前記共通電圧線から前記データ線に沿って上方または下方に伸びており、
前記第２延長部は前記第１延長部が伸びている方向とは反対の方向に伸びていることを特徴とする、請求項４に記載の液晶表示装置。
【請求項１０】
前記データ線と重なり合い、フローティングされているとともに、前記共通電圧線と同じ層からなる遮断層をさらに備え、
前記遮断層の幅は前記データ線の幅よりも広いことを特徴とする、請求項４に記載の液晶表示装置。
【発明の詳細な説明】
【技術分野】
【０００１】
本発明は、液晶表示装置に関する。
【背景技術】
【０００２】
液晶表示装置（Ｌｉｑｕｉｄ Ｃｒｙｓｔａｌ Ｄｉｓｐｌａｙ）は、現在最も幅広く用いられているフラットパネル表示装置（Ｆｌａｔ Ｐａｎｅｌ Ｄｉｓｐｌａｙ）の一つであり、電極に電圧を印加して液晶層の液晶分子を再配列することにより透過する光の量を調節する表示装置である。
【０００３】
液晶表示装置は、薄形化し易いというメリットを有しているが、前面視認性に比べて側面視認性が低下するという欠点があるため、これを克服するための様々な方式の液晶配列及び駆動方法が開発されている。このような広視野角を実現するための方法として、画素電極及び共通電極を１枚の基板に形成する液晶表示装置が注目されていている。
【０００４】
共通電極に共通電圧を伝達する共通電圧線と共通電極とを接続するために、絶縁膜に接触孔を形成する。
【０００５】
一方、液晶表示装置の上部パネルと下部パネルは、２枚のパネルの間に配設されるスペーサにより支持されてセルギャップ（ｃｅｌｌ ｇａｐ）を維持する。
【０００６】
このようなスペーサにより光漏れなどが発生することを防ぐために、スペーサを不透明部材で遮る。
【発明の概要】
【発明が解決しようとする課題】
【０００７】
本発明が解決しようとする課題は、共通電極に共通電圧を伝達する共通電圧線と共通電極とを電気的に接続し、上部基板と下部基板との間のセルギャップを一定に調節しながらも液晶表示装置の開口率の低下を防ぐことのできる液晶表示装置を提供するところにある。
【課題を解決するための手段】
【０００８】
本発明の実施形態による液晶表示装置は、第１基板と、前記第１基板の上に形成されているゲート線と、データ線及び共通電圧線と、前記ゲート線と、データ線及び共通電圧線の上に形成されている第１保護膜と、前記第１保護膜の上に形成されており、第２保護膜を挟んで重なり合う画素電極及び共通電極と、を備え、前記共通電極は前記共通電圧線と共通接触孔を介して接続し、前記共通接触孔は２以上のドットＤＯＴごとに一つずつ配置されている。
【０００９】
前記液晶表示装置は、前記第１基板と向かい合う第２基板と、前記第１基板と前記第２基板との間の間隔を維持するスペーサと、をさらに備え、前記共通接触孔は、前記スペーサと隣設されてもよい。
【００１０】
前記液晶表示装置は、前記スペーサと重なり合う遮光部材をさらに備え、前記共通接触孔は、前記遮光部材と重なり合っていてもよい。
【００１１】
前記共通電圧線は、隣り合う２本の前記ゲート線の間に配設され、前記共通電圧線と前記２本の前記ゲート線との間の間隔は互いにほとんど等しくてもよい。
【００１２】
前記共通電圧線は前記共通接触孔と重なり合う拡張部を備え、前記データ線は複数のデータ線を備え、隣り合う画素行に形成されている前記共通電圧線の前記拡張部は異なるデータ線と重なり合っていてもよい。
【００１３】
前記共通電圧線は、前記データ線と並んで伸びている第１延長部及び第２延長部を備え、前記第１延長部は前記データ線を基準として左側に配設され、前記第２延長部は前記データ線を基準として右側に配設されてもよい。
【００１４】
前記共通電圧線は、前記データ線と並んで伸びている第３延長部及び第４延長部をさらに備え、前記第１延長部及び前記第３延長部は前記データ線を基準として左側に配設され、前記第２延長部及び前記第４延長部は前記データ線を基準として右側に配設され、前記第１延長部及び前記第２延長部は前記共通電圧線から前記データ線に沿って上方に伸びており、前記第３延長部及び前記第４延長部は前記共通電圧線から前記データ線に沿って下方に伸びていてもよい。
【００１５】
前記第１延長部及び前記第３延長部は互いに一列に伸びていなくてもよく、前記第２延長部及び前記第４延長部は互いに一列に伸びていなくてもよい。
【００１６】
前記第１延長部は前記共通電圧線から前記データ線に沿って上方または下方に伸びていてもよく、前記第２延長部は前記第１延長部が伸びている方向とは反対の方向に伸びていてもよい。
【００１７】
前記共通電圧線は、前記共通接触孔に向かって伸びている接続部をさらに備え、前記接続部は、前記データ線を基準として左側に配設される第１縦部と、前記データ線を基準として右側に配設される第２縦部と、前記第１縦部及び前記第２縦部を継ぐ横部と、を備えていてもよい。
【００１８】
前記共通電圧線は、前記データ線と並んで伸びている第１延長部及び第２延長部を備え、前記第１延長部及び前記第２延長部の幅は前記データ線の幅よりも広く、前記第１延長部は前記共通電圧線から前記データ線に沿って上方または下方に伸びていてもよく、前記第２延長部は前記第１延長部が伸びている方向とは反対の方向に伸びていてもよい。
前記液晶表示装置は、前記データ線と重なり合い、フローティングされているとともに、前記共通電圧線と同じ層からなる遮断層をさらに備え、前記遮断層の幅は前記データ線の幅よりも広くてもよい。
【発明の効果】
【００１９】
本発明の実施形態による液晶表示装置によれば、共通電極に共通電圧を伝達する共通電圧線と共通電極とを電気的に接続し、上部基板と下部基板との間のセルギャップを一定に調節しながらも液晶表示装置の開口率の低下を防ぐことができる。
【図面の簡単な説明】
【００２０】
【図１Ａ】本発明の一実施形態による液晶表示装置の一部の画素を示す配置図である。
【図１Ｂ】本発明の一実施形態による液晶表示装置の一部の画素を簡略的に示す配置図である。
【図２Ａ】図１Ａの液晶表示装置をＩＩＡ-ＩＩＡ線に沿って切り取った断面図である。
【図２Ｂ】図１Ａの液晶表示装置をＩＩＢ-ＩＩＢ線に沿って切り取った断面図である。
【図３】本発明の一実施形態による液晶表示装置の信号線のうちの一部の信号線の配置を示す図である。
【図４】本発明の他の一実施形態による液晶表示装置の一部の画素を示す配置図である。
【図５】図４の液晶表示装置をＶ-Ｖ線に沿って切り取った断面図である。
【図６】本発明の他の一実施形態による液晶表示装置の一部の画素を示す配置図である。
【図７】図６の液晶表示装置をＶＩＩ-ＶＩＩ線に沿って切り取った断面図である。
【図８】図６の液晶表示装置をＶＩＩＩ-ＶＩＩＩ線に沿って切り取った断面図である。
【図９】本発明の他の一実施形態による液晶表示装置の一部の画素を示す配置図である。
【図１０】図９の液晶表示装置をＸ-Ｘ線に沿って切り取った断面図である。
【図１１】図９の液晶表示装置をＸＩ-ＸＩ線に沿って切り取った断面図である。
【図１２】本発明の他の一実施形態による液晶表示装置の一部の画素を示す配置図である。
【図１３】図１２の液晶表示装置をＸＩＩＩ-ＸＩＩＩ線に沿って切り取った断面図である。
【図１４】図１２の液晶表示装置をＸＩＶ-ＸＩＶ線に沿って切り取った断面図である。
【図１５】本発明の他の一実施形態による液晶表示装置の一部の画素を示す配置図である。
【図１６】図１５の液晶表示装置をＸＶＩ-ＸＶＩ線に沿って切り取った断面図である。
【図１７】本発明の他の一実施形態による液晶表示装置の一部の画素を示す配置図である。
【図１８】図１７の液晶表示装置をＸＶＩＩＩ-ＸＶＩＩＩ線に沿って切り取った断面図である。
【発明を実施するための形態】
【００２１】
以下、添付図面に基づき、本発明の一実施形態について本発明が属する技術分野において通常の知識を有する者が容易に実施できる程度に詳細に説明する。しかしながら、本発明は種々の異なる形態に実現可能であり、ここで説明する実施形態に限定されるものではない。
【００２２】
図中、明確に表現するために、層、膜、板、領域等の厚さを拡大して示す。明細書全般に亘って同じ参照番号が付されている部分は、同じ構成要素であることを意味する。層、膜、領域、基板などの要素が他の要素の「上に」あるとしたとき、これは、他の部分の「直上に」ある場合だけではなく、これらの間に他の要素がある場合も含む。反対に、ある部分が他の部分の「真上に」あるとしたときには、これらの間に他の要素がないことを意味する。
【００２３】
以下、図１から図３に基づき、本発明の一実施形態による液晶表示装置について説明する。図１は、本発明の一実施形態による液晶表示装置の一部の画素を示す配置図であり、図２Ａは、図１Ａの液晶表示装置をＩＩＡ-ＩＩＡ線に沿って切り取った断面図であり、図２Ｂは、図１Ａの液晶表示装置をＩＩＢ-ＩＩＢ線に沿って切り取った断面図である。また、図３は、本発明の一実施形態による液晶表示装置の信号線のうちの一部の信号線の配置を示す図である。
【００２４】
図１を参照すると、本発明の一実施形態による液晶表示装置は、隣り合う複数の画素ＰＸＡ、ＰＡＢ、ＰＸＣを備える。複数の画素ＰＸＡ、ＰＡＢ、ＰＸＣは異なる色を表示してもよく、複数の画素ＰＸＡ、ＰＡＢ、ＰＸＣは一つのドットＤＯＴをなす。図示の実施形態において、一つのドットは３つの画素を有するが、本発明の他の一実施形態による液晶表示装置によれば、一つのドットは３以上の画素を有していてもよい。
【００２５】
複数の画素ＰＸＡ、ＰＡＢ、ＰＸＣは、ゲート線１２１と、共通電圧線１３１と、複数のデータ線１７１と、画素電極１９１及び共通電極２７０を備える。
【００２６】
共通電圧線１３１は拡張部１３３を有し、共通電圧線１３１の拡張部１３３は共通電圧線１３１と共通電極２７０とを接続するための共通接触孔１８６と重なり合う。接触孔１８６は、間隔材３２５と隣設される。
【００２７】
接触孔１８６を間隔材３２５と隣設することにより、間隔材３２５と重なり合う遮光部材２２０を用いて、接触孔１８６を遮ることができる。このため、共通電圧線１３１と共通電極２７０とを接続するための共通接触孔１８６を遮るためのさらなる遮光部材を形成しなくてもよい。したがって、液晶表示装置の開口率の低下なしに、共通電圧線１３１と共通電極２７０とを接続するための共通接触孔１８６を形成することができる。
間隔材３２５は相対向する２枚の基板の間の間隔、すなわち、セルギャップを一定に調節する役割を果たす。
【００２８】
共通電圧線１３１の拡張部１３３、共通接触孔１８６及び間隔材３２５は２以上のドットごとに一つずつ形成されていてもよい。具体的に、６以上の画素ごとに一つずつ形成されていてもよい。図１Ｂを参照すると、間隔材３２５は画素行方向及び画素列方向に沿って２以上のドットごとに、具体的に、６以上の画素ごとに一つずつ形成されていてもよく、間隔材３２５が形成されている画素に共通電圧線１３１の拡張部１３３及び共通接触孔１８６が形成されていてもよい。
【００２９】
このように、共通電圧線１３１の拡張部１３３を２以上のドットごとに一つずつ形成することにより、共通電圧線１３１と共通電極２７０とを接続するための共通接触孔１８６による液晶表示装置の開口率の低下を防ぐことができる。
【００３０】
以下、図１、図２Ａ及び図２Ｂに基づき、本発明の一実施形態による液晶表示装置の１画素の構造についてより詳細に説明する。
【００３１】
図１、図２Ａ及び図２Ｂを参照すると、本発明の一実施形態による液晶表示装置は、相対向する下部表示板１００及び上部表示板２００と、これらの間に注入されている液晶層３と、を備える。
【００３２】
まず、下部表示板１００について説明する。
【００３３】
透明ガラス製またはプラスチック製の第１絶縁基板１１０の上にゲート線１２１及び共通電圧線１３１を有するゲート導電体が形成されている。
【００３４】
ゲート線１２１は、ゲート電極１２４及び他の層または外部駆動回路との接続のための広いゲートパッド部（図示せず）を備える。ゲート線１２１は、アルミニウム（Ａｌ）やアルミニウム合金などのアルミニウム系金属、銀（Ａｇ）や銀合金などの銀系金属、銅（Ｃｕ）や銅合金などの銅系金属、モリブデン（Ｍｏ）やモリブデン合金などのモリブデン系金属、クロム（Ｃｒ）、タンタル（Ｔａ）及びチタン（Ｔｉ）などから作製されてもよい。しかしながら、ゲート線１２１は、物理的な性質が異なる少なくとも２つの導電膜を備える多重膜構造を有していてもよい。
【００３５】
共通電圧線１３１は隣り合う２本のゲート線１２１の間に配設され、共通電圧線１３１と隣り合う２本のゲート線１２１の間の間隔は同一であっても良い。なお、間隔が同一であるとの定義には、間隔がほとんど等しいとの意味も含まれる。このため、共通電圧線１３１は、画素領域の上下二等分線と一致する領域に形成されていてもよい。
【００３６】
共通電圧線１３１は、後述するデータ線１７１に沿って伸びている接続部１３２と、接続部１３２から拡張されている拡張部１３３と、を備える。
【００３７】
共通電圧線１３１の拡張部１３３は、後述する共通接触孔１８６を介して共通電極２７０と接続される。
【００３８】
共通電圧線１３１の接続部１３２及び拡張部１３３は複数の画素ごとに一つずつ形成されていてもよく、２以上のドットごとに一つずつ形成されていてもよい。具体的に、６以上の画素ごとに一つずつ形成されていてもよい。
【００３９】
ゲート導電体１２１、１３１の上には、窒化ケイ素（ＳｉＮｘ）または酸化ケイ素（ＳｉＯｘ）などからなるゲート絶縁膜１４０が形成されている。ゲート絶縁膜１４０は、物理的な性質が異なる少なくとも２つの絶縁層を備える多層膜構造を有していてもよい。
【００４０】
ゲート絶縁膜１４０の上には、非晶質シリコンまたは多結晶シリコンなどからなる半導体１５４が形成されている。半導体１５４は、酸化物半導体を備えていてもよい。
【００４１】
半導体１５４の上には、抵抗性接触部材１６３、１６５が形成されている。抵抗性接触部材１６３、１６５は、リン（ｐｈｏｓｐｈｏｒｕｓ）などのｎ型不純物が高濃度でドーピングされているｎ＋水素化非晶質シリコンなどの物質から作製されてもよく、シリサイド（ｓｉｌｉｃｉｄｅ）から作製されてもよい。抵抗性接触部材１６３、１６５は、対をなして半導体１５４の上に配置されてもよい。半導体１５４が酸化物半導体である場合、抵抗性接触部材１６３、１６５は省略可能である。
【００４２】
抵抗性接触部材１６３、１６５及びゲート絶縁膜１４０の上には、ソース電極１７３を有するデータ線１７１と、ドレイン電極１７５を備えるデータ導電体と、が形成されている。
【００４３】
データ線１７１は、他の層または外部駆動回路との接続のためのデータパッド部（図示せず）を備える。データ線１７１はデータ信号を伝達し、主として図１Ａの縦方向に伸びてゲート線１２１と交差する。
【００４４】
このとき、データ線１７１は、液晶表示装置の最大の透過率を得るために折り曲げ状の第１折曲部１７１−１を有していてもよく、折曲部は画素領域の中間領域で遭遇してＶ字状を呈していてもよい。画素領域の中間領域には、第１折曲部１７１−１と所定の角度をなすように折り曲げられている第２折曲部１７１−２をさらに備えていてもよい。
【００４５】
データ線１７１の第１折曲部１７１−１は、ゲート線１２１が伸びている方向と９０°をなす縦基準線と約７°の角度をなすように折り曲げられていてもよい。画素領域の中間領域に配設される第２折曲部１７１−２は第１折曲部と約７°〜約１５°の角度をなすようにさらに折り曲げられていてもよい。
【００４６】
ソース電極１７３はデータ線１７１の一部であり、データ線１７１と同じ線の上に配置される。ドレイン電極１７５はソース電極１７３と並んで伸びるように形成されている。このため、ドレイン電極１７５はデータ線１７１の一部と並んでいる。
【００４７】
ゲート電極１２４と、ソース電極１７３及びドレイン電極１７５は、半導体１５４と共に一つの薄膜トランジスター（ｔｈｉｎ-ｆｉｌｍ-ｔｒａｎｓｉｓｔｏｒ；ＴＦＴ）をなし、薄膜トランジスターのチャンネル（ｃｈａｎｎｅｌ）は、ソース電極１７３とドレイン電極１７５との間の半導体１５４に形成される。
【００４８】
本発明の実施形態による液晶表示装置は、データ線１７１と同じ線の上に配設されるソース電極１７３と、データ線１７１と並んで伸びているドレイン電極１７５と、を備えることにより、データ導電体が占める面積を広げなくても薄膜トランジスターの幅を広げることができ、これにより、液晶表示装置の開口率が増加される。
【００４９】
しかしながら、本発明の他の実施形態による液晶表示装置の場合、ソース電極１７３とドレイン電極１７５は他の形態を有していてもよい。たとえば、ソース電極１７３がデータ線１７１からドレイン電極１７５側に突出するように形成されていてもよい。
【００５０】
データ線１７１とドレイン電極１７５は、モリブデン、クロム、タンタル及びチタンなどの耐火性金属（ｒｅｆｒａｃｔｏｒｙ ｍｅｔａｌ）またはこれらの合金から作製されることが好ましく、耐火性金属膜（図示せず）と低抵抗導電膜（図示せず）を備える多重膜構造を有していてもよい。多重膜構造の例としては、クロムまたはモリブデン（合金）下部膜とアルミニウム（合金）上部膜との二重膜、モリブデン（合金）下部膜とアルミニウム（合金）中間膜とモリブデン（合金）上部膜との三重膜が挙げられる。しかしながら、データ線１７１とドレイン電極１７５は、これらに加えて、種々の金属または導電体から作製されてもよい。
【００５１】
ドレイン電極１７５の一部及びゲート絶縁膜１４０の上には、画素電極１９１が形成されている。
【００５２】
画素電極１９１は、データ線１７１の第１折曲部１７１−１及び第２折曲部１７１−２とほとんど並んだ一対の折曲辺（ｃｕｒｖｅｄ ｅｄｇｅ）を備える。
【００５３】
画素電極１９１はドレイン電極１７５の一部を覆っており、その上に配置されてドレイン電極１７５と物理的・電気的に直接的に接続される。
【００５４】
画素電極１９１は、多結晶、単結晶または非晶質のＩＴＯ（Ｉｎｄｉｕｍ ｔｉｎ  ｏｘｉｄｅ）、または、ＩＺＯ（Ｉｎｄｉｕｍ ｚｉｎｃ ｏｘｉｄｅ）などの透明な導電物質から作製されてもよい。
【００５５】
データ導電体１７１、１７５及び露出された半導体１５４、並びに画素電極１９１の上には、保護膜（ｐａｓｓｉｖａｔｉｏｎ ｌａｙｅｒ）１８０が形成されている。
【００５６】
保護膜１８０は、窒化ケイ素と酸化ケイ素などの無機絶縁物から作製される。しかしながら、保護膜１８０は有機絶縁物から作製されてもよく、表面が平らであってもよい。有機絶縁物の場合感光性（ｐｈｏｔｏｓｅｎｓｉｔｉｖｉｔｙ）を有していてもよく、その誘電定数（ｄｉｅｌｅｃｔｒｉｃ ｃｏｎｓｔａｎｔ）は約４．０以下であってもよい。      
【００５７】
また、保護膜１８０は、有機膜の優れた絶縁特性を生かしながらも露出された半導体１５４部分に損傷が与えられないように下部無機膜と上部有機膜との二重膜構造を有していてもよい。
【００５８】
保護膜１８０にはデータパッド部を露出させる接触孔（図示せず）が形成されており、保護膜１８０とゲート絶縁膜１４０には共通電圧線１３１の拡張部１３３を露出させる共通接触孔１８６が形成されている。
【００５９】
保護膜１８０の上には共通電極２７０が形成されている。共通電極２７０は画素電極１９１と重なり合い、複数の枝電極２７１を備える。共通電極２７０は、多結晶、単結晶または非晶質のＩＴＯ（ｉｎｄｉｕｍ ｔｉｎ ｏｘｉｄｅ）またはＩＺＯ（ｉｎｄｉｕｍ ｚｉｎｃ ｏｘｉｄｅ）などの透明な導電物質から作製される。隣り合う画素に配設される共通電極２７０は互いに接続されている。
【００６０】
共通電極２７０は、保護膜１８０及びゲート絶縁膜１４０に形成されている共通接触孔１８６を介して共通電圧線１３１の拡張部１３３と物理的・電気的に接続される。
【００６１】
図示はしないが、共通電極２７０及び保護膜１８０の上には配向膜（ａｌｉｇｎｍｅｎｔ ｌａｙｅｒ）が塗布されており、配向膜は水平配向膜であってもよく、一定の方向にラビングされている。
【００６２】
以下、上部表示板２００について説明する。
【００６３】
透明ガラス製またはプラスチック製の第２絶縁基板２１０の上に遮光部材（ｌｉｇｈｔ ｂｌｏｃｋｉｎｇ ｍｅｍｂｅｒ）２２０が形成されている。遮光部材２２０はブラックマトリックス（ｂｌａｃｋ ｍａｔｒｉｘ）とも呼ばれ、光漏れを防ぐ。
【００６４】
また、第２絶縁基板２１０の上には、複数のカラーフィルター２３０が形成されている。カラーフィルター２３０は遮光部材２２０で取り囲まれた領域内にほとんど存在し、画素電極１９１列に沿って縦方向に長く伸びていてもよい。各カラーフィルター２３０は、赤色、緑色及び青色の三原色など基本色（ｐｒｉｍａｒｙ ｃｏｌｏｒ）のうちの一つを表示することができる。
【００６５】
カラーフィルター２３０及び遮光部材２２０の上には、オーバーコート（ｏｖｅｒｃｏａｔ）２５０が形成されている。オーバーコート２５０は（有機）絶縁物から作製されてもよく、カラーフィルター２３０が露出されることを防ぐとともに、平坦面を提供する。オーバーコート２５０は、省略可能である。
【００６６】
下部表示板１００と上部表示板２００との間には、間隔材３２５が形成されている。
【００６７】
間隔材３２５は、ゲート電極１２４と、半導体１５４と、ソース電極１７３及びドレイン電極１７５を備える薄膜トランジスターと重なり合う位置に形成されていてもよい。
【００６８】
間隔材３２５は２以上のドットごとに一つずつ形成されていてもよい。具体的に、６以上の画素ごとに一つずつ形成されていてもよい。
【００６９】
液晶層３は複数の液晶分子を含み、液晶分子はその長軸方向が表示板１００、２００に平行に配列されている。
【００７０】
画素電極１９１はドレイン電極１７５からデータ電圧を印加され、共通電極２７０は共通電圧線１３１から所定の大きさの共通電圧を印加される。このとき、共通電極２７０は互いに接続されて、表示領域の外部に配設される共通電圧印加部から共通電圧を印加されるが、表示領域内で共通電圧線１３１から同じ大きさの共通電圧を印加されて、電圧降下などを防ぐことができる。
【００７１】
データ電圧が印加された画素電極１９１は、共通電圧を印加される共通電極２７０と共に電場を生成することにより、２つの電極１９１、２７０の上に配設される液晶層３の液晶分子は電場の方向と平行な方向に回転する。このように決定された液晶分子の回転方向に応じて液晶層を通過する光の偏光が変化する。
【００７２】
図２Ｂを参照すると、間隔材３２５は、薄膜トランジスターと重なり合う位置に形成されている。しかしながら、間隔材３２５を形成する工程で、所望の位置ではなく、隣り合う他の位置に形成されてもよく、外部の圧力により、間隔材３２５の位置が隣り合う領域に変化してもよい。したがって、間隔材３２５と重なり合う遮光部材２２０の幅は、間隔材３２５の幅よりも広く形成する。
【００７３】
本発明の実施形態による液晶表示装置によれば、共通電圧線１３１の拡張部１３３と共通電極２７０とを接続するための共通接触孔１８６を間隔材３２５に隣設することにより、間隔材３２５と重なり合う遮光部材２２０を用いて、接触孔１８６を遮ることができる。したがって、共通電圧線１３１と共通電極２７０とを接続するための共通接触孔１８６を遮るためのさらなる遮光部材を形成しなくても、共通接触孔１８６を遮光部材２２０で遮ることができる。これにより、液晶表示装置の開口率の低下なしに、共通電圧線１３１と共通電極２７０とを接続するための共通接触孔１８６を形成することができる。
【００７４】
以下、図３に基づき、本発明の一実施形態による液晶表示装置の信号線の配置について説明する。図３は、本発明の一実施形態による液晶表示装置の信号線のうちの一部の信号線の配置を示す図である。
【００７５】
図３を参照すると、本実施形態による液晶表示装置は、隣り合う２本のゲート線に配設され、順次に配設される第１画素行ＰＸ１と、第２画素行ＰＸ２と、第３画素行ＰＸ３と、第４画素行ＰＸ４と、を備える。また、隣り合って順次に配設される第１データ線１７１ａと、第２データ線１７１ｂと、第３データ線１７１ｃと、第４データ線１７１ｄと、を備える。
【００７６】
各画素行ＰＸ１、ＰＸ２、ＰＸ３、ＰＸ４には共通電圧線１３１が形成されている。
【００７７】
第１画素行ＰＸ１に配設される共通電圧線１３１の接続部１３２と拡張部１３３は第１データ線１７１ａと一部分重なり合う位置に形成されており、第２画素行ＰＸ２に配設される共通電圧線１３１の接続部１３２と拡張部１３３は第４データ線１７１ｄと一部分重なり合う位置に形成されており、第３画素行ＰＸ３に配設される共通電圧線１３１の接続部１３２と拡張部１３３は第３データ線１７１ｃと一部分重なり合う位置に形成されており、第４画素行ＰＸ４に配設される共通電圧線１３１の接続部１３２と拡張部１３３は第２データ線１７１ｂと一部分重なり合う位置に形成されている。
【００７８】
このように、隣り合う画素行に配設される共通電圧線１３１の接続部１３２と拡張部１３３は異なるデータ線と一部分重なり合う位置に形成される。したがって、各データ線１７１ａ、１７１ｂ、１７１ｃ、１７１ｄと共通電圧線１３１とが重なり合う面積を均等に調節することができる。なお、均等には、同一のみならず、概ね均等である意味も含まれる。これにより、各データ線１７１ａ、１７１ｂ、１７１ｃ、１７１ｄと共通電圧線１３１との間のカップリングがほとんど一定になる。もし、共通電圧線１３１の接続部１３２及び拡張部１３３が単に一部のデータ線と重なり合うように形成されるならば、共通電圧線１３１の接続部１３２及び拡張部１３３と重なり合うデータ線と共通電圧線１３１の接続部１３２及び拡張部１３３と重なり合わないデータ線との間には、共通電圧線１３１と形成されるカップリングの大きさで差分が発生する。このようなカップリングの差分は縦筋模様などの表示品質の低下を来たす虞がある。
【００７９】
図３では、順次に配置されている４つの画素行ごとに共通電圧線１３１の接続部１３２及び拡張部１３３が形成されると説明したが、本発明はこれに何ら限定されるものではなく、共通電圧線１３１の接続部１３２及び拡張部１３３は６以上の画素行ごとに一つずつ形成されてもよい。
【００８０】
図３に示す信号線の配置は、本発明の一実施形態による液晶表示装置に関するものであり、本発明の他の実施形態による液晶表示装置によれば、データ線と共通電圧線との重合部分の配置は図３とは異なる場合があり、データ線と共通電圧線との重合部分を液晶表示装置の全体に亘って均一に分布させるあらゆる場合が適用可能である。たとえば、一例であるが、第１画素行ＰＸ１に配設される共通電圧線１３１の接続部１３２と拡張部１３３は第１データ線１７１ａと一部分重なり合う位置に形成されており、第２画素行ＰＸ２に配設される共通電圧線１３１の接続部１３２と拡張部１３３は第２データ線１７１ｂと一部分重なり合う位置に形成されており、第３画素行ＰＸ３に配設される共通電圧線１３１の接続部１３２と拡張部１３３は第３データ線１７１ｃと一部分重なり合う位置に形成されており、第４画素行ＰＸ４に配設される共通電圧線１３１の接続部１３２と拡張部１３３は第４データ線１７１ｄと一部分重なり合う位置に形成されてもよい。
【００８１】
以下、図４及び図５に基づき、本発明の他の一実施形態による液晶表示装置について説明する。図４は、本発明の他の一実施形態による液晶表示装置の一部の画素を示す配置図であり、図５は、図４の液晶表示装置をＶ-Ｖ線に沿って切り取った断面図である。
【００８２】
図４及び図５を参照すると、本実施形態による液晶表示装置は、図１、図２Ａ及び図２Ｂに基づいて説明した実施形態による液晶表示装置とほとんど同様である。なお、類似する構成要素についての具体的な説明は省略する。
【００８３】
本発明の一実施形態による液晶表示装置は、隣り合う複数の画素ＰＸＡ、ＰＸＢ、ＰＸＣを備える。
【００８４】
複数の画素ＰＸＡ、ＰＸＢ、ＰＸＣは、ゲート線１２１と、共通電圧線１３１と、複数のデータ線１７１と、画素電極１９１及び共通電極２７０を備える。
【００８５】
共通電圧線１３１は拡張部１３３を有し、共通電圧線１３１の拡張部１３３は共通電圧線１３１と共通電極２７０とを接続するための共通接触孔１８６と重なり合う。接触孔１８６は、間隔材３２５に隣設して形成される。
【００８６】
接触孔１８６を間隔材３２５に隣設することにより、間隔材３２５と重なり合う遮光部材２２０を用いて、接触孔１８６を遮ることができる。このため、共通電圧線１３１と共通電極２７０とを接続するための共通接触孔１８６を遮るためのさらなる遮光部材を形成しなくてもよい。したがって、液晶表示装置の開口率の低下なしに、共通電圧線１３１と共通電極２７０とを接続するための共通接触孔１８６を形成することができる。
【００８７】
間隔材３２５は、相対向する２枚の基板の間の間隔、すなわち、セルギャップを一定に調節する役割を果たす。
【００８８】
共通電圧線１３１の拡張部１３３と、共通接触孔１８６及び間隔材３２５は、２以上のドットごとに一つずつ形成されてもよい。具体的に、６以上の画素ごとに一つずつ形成されてもよい。
【００８９】
このように、共通電圧線１３１の拡張部１３３を２以上のドットごとに一つずつ形成することにより、共通電圧線１３１と共通電極２７０とを接続するための共通接触孔１８６による液晶表示装置の開口率の低下を防ぐことができる。
【００９０】
間隔材３２５は、薄膜トランジスターと重なり合う位置に形成されている。しかしながら、間隔材３２５を形成する工程で、所望の位置ではなく、隣り合う他の位置に形成されてもよく、外部の圧力により、間隔材３２５の位置が隣り合う領域に変化してもよい。したがって、間隔材３２５と重なり合う遮光部材の幅は、間隔材３２５の幅よりも広く形成する。
【００９１】
本発明の実施形態による液晶表示装置によれば、共通電圧線１３１の拡張部１３３と共通電極２７０とを接続するための共通接触孔１８６を間隔材３２５に隣設することにより、間隔材３２５と重なり合う遮光部材を用いて、接触孔１８６を遮ることができる。このため、共通電圧線１３１と共通電極２７０とを接続するための共通接触孔１８６を遮るためのさらなる遮光部材を形成しなくても、共通接触孔１８６を遮光部材２２０で遮ることができる。したがって、液晶表示装置の開口率の低下なしに、共通電圧線１３１と共通電極２７０とを接続するための共通接触孔１８６を形成することができる。
【００９２】
図４及び図５を参照すると、図１、図２Ａ及び図２Ｂに基づいて説明した実施形態による液晶表示装置とは異なり、本実施形態による液晶表示装置は、共通電圧線１３１から延出した第１延長部１３４ａと第２延長部１３４ｂをさらに備える。
【００９３】
共通電圧線１３１の第１延長部１３４ａは各データ線１７１を基準としてデータ線１７１の左側に配設され、第２延長部１３４ｂは各データ線１７１を基準としてデータ線１７１の右側に配設される。このように、データ線１７１の両側にデータ線１７１と重なり合う共通電圧線１３１の第１延長部１３４ａ及び第２延長部１３４ｂを形成すれば、データ線１７１の下方でデータ線１７１と重なり合う共通電圧線１３１の第１延長部１３４ａ及び第２延長部１３４ｂとデータ線１７１との間にカップリングが形成され、このようなカップリングにより、データ線１７１の上方でデータ線１７１と重なり合う共通電極２７０とデータ線１７１との間に形成されるカップリングの影響が低減される。したがって、データ線１７１と共通電極２７０との間の不要なカップリングの影響力を低減してデータ線１７１と共通電極２７０との間の不要なカップリングによる表示品質の低下を防ぐことができる。
【００９４】
また、データ線１７１の両側に共通電圧線１３１の第１延長部１３４ａと第２延長部１３４ｂを形成することにより、データ線１７１と重なり合う遮光部材の幅を小さく形成しながらも、データ線１７１と隣り合う部分で発生し得る光漏れを防ぐことができる。
【００９５】
図１、図２Ａ及び図２Ｂ、並びに図３に基づいて上述した実施形態による液晶表示装置の多くの特徴は、本実施形態による液晶表示装置にいずれも適用可能である。
【００９６】
以下、図６から図８に基づき、本発明の他の一実施形態による液晶表示装置について説明する。図６は、本発明の他の一実施形態による液晶表示装置の一部の画素を示す配置図であり、図７は、図６の液晶表示装置をＶＩＩ-ＶＩＩ線に沿って切り取った断面図であり、図８は、図６の液晶表示装置をＶＩＩＩ-ＶＩＩＩ線に沿って切り取った断面図である。
【００９７】
図６から図８を参照すると、本実施形態による液晶表示装置は、図１、図２Ａ及び図２Ｂに基づいて説明した実施形態による液晶表示装置とほとんど同様である。なお、類似する構成要素についての具体的な説明は省略する。
【００９８】
本発明の一実施形態による液晶表示装置は、隣り合う複数の画素ＰＸＡ、ＰＸＢ、ＰＸＣを備える。
【００９９】
複数の画素ＰＸＡ、ＰＸＢ、ＰＸＣは、ゲート線１２１と、共通電圧線１３１と、複数のデータ線１７１と、画素電極１９１及び共通電極２７０を備える。
【０１００】
共通電圧線１３１は拡張部１３３を有し、共通電圧線１３１の拡張部１３３は共通電圧線１３１と共通電極２７０とを接続するための共通接触孔１８６と重なり合う。接触孔１８６は、間隔材３２５に隣設して形成される。
【０１０１】
接触孔１８６を間隔材３２５に隣設することにより、間隔材３２５と重なり合う遮光部材２２０を用いて、接触孔１８６を遮ることができる。このため、共通電圧線１３１と共通電極２７０とを接続するための共通接触孔１８６を遮るためのさらなる遮光部材を形成しなくてもよい。したがって、液晶表示装置の開口率の低下なしに、共通電圧線１３１と共通電極２７０とを接続するための共通接触孔１８６を形成することができる。
【０１０２】
間隔材３２５は、相対向する２枚の基板の間の間隔、すなわち、セルギャップを一定に調節する役割を果たす。
【０１０３】
共通電圧線１３１の拡張部１３３と、共通接触孔１８６及び間隔材３２５は、２以上のドットごとに一つずつ形成されていてもよい。具体的に、６以上の画素ごとに一つずつ形成されていてもよい。
【０１０４】
このように、共通電圧線１３１の拡張部１３３を２以上のドットごとに一つずつ形成することにより、共通電圧線１３１と共通電極２７０とを接続するための共通接触孔１８６による液晶表示装置の開口率の低下を防ぐことができる。
【０１０５】
間隔材３２５は、薄膜トランジスターと重なり合う位置に形成されている。しかしながら、間隔材３２５を形成する工程で、所望の位置ではなく、隣り合う他の位置に形成されてもよく、外部の圧力により、間隔材３２５の位置が隣り合う領域に変化してもよい。したがって、間隔材３２５と重なり合う遮光部材の幅は間隔材３２５の幅よりも広く形成する。
【０１０６】
本発明の実施形態による液晶表示装置によれば、共通電圧線１３１の拡張部１３３と共通電極２７０とを接続するための共通接触孔１８６を間隔材３２５に隣設することにより、間隔材３２５と重なり合う遮光部材を用いて、接触孔１８６を遮ることができる。このため、共通電圧線１３１と共通電極２７０とを接続するための共通接触孔１８６を遮るためのさらなる遮光部材を形成しなくても、共通接触孔１８６を遮光部材２２０で遮ることができる。したがって、液晶表示装置の開口率の低下なしに、共通電圧線１３１と共通電極２７０とを接続するための共通接触孔１８６を形成することができる。
【０１０７】
図６から図８を参照すると、図１、図２Ａ及び図２Ｂに基づいて説明した実施形態による液晶表示装置とは異なり、本実施形態による液晶表示装置は、共通電圧線１３１から延出した第３延長部１３５ａ及び第４延長部１３５ｂ、並びに第５延長部１３５ｃ及び第６延長部１３５ｄをさらに備える。
【０１０８】
共通電圧線１３１の第３延長部１３５ａは各データ線１７１を基準としてデータ線１７１の左側に配設され、第４延長部１３５ｂは各データ線１７１を基準としてデータ線１７１の右側に配設され、第３延長部１３５ａ及び第４延長部１３５ｂは共通電圧線１３１からデータ線１７１に沿って上方に伸びている。共通電圧線１３１の第５延長部１３５ｃは各データ線１７１を基準としてデータ線１７１の左側に配設され、第６延長部１３５ｄは各データ線１７１を基準としてデータ線１７１の右側に配設され、第５延長部１３５ｃ及び第６延長部１３５ｄはデータ線１７１に沿って下方に伸びている。
【０１０９】
共通電圧線１３１の第３延長部１３５ａと共通電圧線１３１の第５延長部１３５ｃは一列に配置されておらず、共通電圧線１３１の第４延長部１３５ｂは共通電圧線１３１の第６延長部１３５ｄと一列に配置されていない。より具体的に、データ線１７１を基準として、第３延長部１３５ａと第４延長部１３５ｂは左側に偏るように配置されており、第５延長部１３５ｃ及び第６延長部１３５ｄは右側に偏るように配置されている。しかしながら、本発明の他の一実施形態による液晶表示装置によれば、データ線１７１を基準として、第３延長部１３５ａ及び第４延長部１３５ｂは右側に偏るように配置され、第５延長部１３５ｃ及び第６延長部１３５ｄは右側に偏るように配置されてもよい。
【０１１０】
第３延長部１３５ａはデータ線１７１から離れており、第４延長部１３５ｂはデータ線１７１の右側でデータ線１７１と一部分重なり合う。第５延長部１３５ｃはデータ線１７１の左側でデータ線１７１と一部分重なり合い、第６延長部１３５ｄはデータ線１７１から離れている。このとき、第４延長部１３５ｂとデータ線１７１とが重なり合う部分の第１幅Ｗ１は、第５延長部１３５ｃとデータ線１７１とが重なり合う部分の第２幅Ｗ２に略等しくてもよい。
【０１１１】
しかしながら、本発明の他の一実施形態による液晶表示装置によれば、第３延長部１３５ａはデータ線１７１の左側でデータ線１７１と一部分重なり合い、第６延長部１３５ｄはデータ線１７１の右側でデータ線１７１と一部分重なり合い、このとき、第３延長部１３５ａとデータ線１７１との重合部の幅は、第６延長部１３５ｄとデータ線１７１との重合部の幅に略等しくてもよい。
【０１１２】
このように、共通電圧線１３１から延出した第３延長部１３５ａ及び第４延長部１３５ｂの位置、並びに第５延長部１３５ｃ及び第６延長部１３５ｄの位置を異ならせて形成することにより、共通電圧線１３１の第３〜第６延長部１３５ａ、１３５ｂ、１３５ｃ、１３５ｄとデータ線１７１を形成するときに、左右誤整列（ｍｉｓａｌｉｇｎ）が発生する場合であっても、共通電圧線１３１から延出した第３〜第６延長部１３５ａ、１３５ｂ、１３５ｃ、１３５ｄとデータ線１７１との重合面積を一定に維持することができる。
【０１１３】
より具体的に、もし、共通電圧線１３１の第３〜第６延長部１３５ａ、１３５ｂ、１３５ｃ、１３５ｄを基準として、データ線１７１が左側に移動すれば、共通電圧線１３１の第３延長部１３５ａと第５延長部１３５ｃとの重合面積は広くなるが、共通電圧線１３１の第４延長部１３５ｂと第６延長部１３５ｄとの重合面積は狭くなる。なお、共通電圧線１３１の第３から第６延長部１３５ａ、１３５ｂ、１３５ｃ、１３５ｄを基準として、データ線１７１が左側にさらに移動して、データ線１７１が第５延長部１３５ｃとは重なり合わなくても、データ線１７１は第３延長部１３５ａとは重なり合っていてもよい。
【０１１４】
これと同様に、もし、共通電圧線１３１の第３〜第６延長部１３５ａ、１３５ｂ、１３５ｃ、１３５ｄを基準として、データ線１７１が右側に移動すれば、共通電圧線１３１の第４延長部１３５ｂと第６延長部１３５ｄとの重合面積は広くなるが、共通電圧線１３１の第３延長部１３５ａと第５延長部１３５ｃとの重合面積は狭くなる。なお、共通電圧線１３１の第３〜第６延長部１３５ａ、１３５ｂ、１３５ｃ、１３５ｄを基準として、データ線１７１が右側にさらに移動して、データ線１７１が第４延長部１３５ｂと重なり合わなくても、データ線１７１は第６延長部１３５ｄとは重なり合っていてもよい。
【０１１５】
また、データ線１７１の両側に共通電圧線１３１の第３〜第６延長部１３５ａ、１３５ｂ、１３５ｃ、１３５ｄを形成すれば、データ線１７１の下方でデータ線１７１と重なり合う共通電圧線１３１の第３〜第６延長部１３５ａ、１３５ｂ、１３５ｃ、１３５ｄとデータ線１７１との間にカップリングが形成され、このようなカップリングにより、データ線１７１の上方でデータ線１７１と重なり合う共通電極２７０とデータ線１７１との間に形成されるカップリングの影響が低減される。したがって、データ線１７１と共通電極２７０との間の不要なカップリングの影響力を低減してデータ線１７１と共通電極２７０との間の不要なカップリングによる表示品質の低下を防ぐことができる。
【０１１６】
さらに、共通電圧線１３１から延出した第３延長部１３５ａ及び第４延長部１３５ｂの位置、並びに第５延長部１３５ｃ及び第６延長部１３５ｄの位置を異ならせて形成することにより、共通電圧線１３１の第３〜第６延長部１３５ａ、１３５ｂ、１３５ｃ、１３５ｄとデータ線１７１を形成するとき、左右誤整列が発生する場合であっても、共通電圧線１３１から延出した第３〜第６延長部１３５ａ、１３５ｂ、１３５ｃ、１３５ｄとデータ線１７１との重合面積を一定に維持することができる。したがって、共通電圧線１３１とデータ線１７１との間のカップリング差による縦筋模様などの表示品質の低下を防ぐことができる。
【０１１７】
加えて、データ線１７１の両側に共通電圧線１３１の第１延長部１３４ａと第２延長部１３４ｂを形成することにより、データ線１７１と重なり合う遮光部材の幅を小さく形成しながらも、データ線１７１と隣り合う部分で発生し得る光漏れを防ぐことができる。
【０１１８】
図１、図２Ａ及び図２Ｂ、並びに図３に基づいて上述した実施形態による液晶表示装置の多くの特徴は、本実施形態による液晶表示装置にいずれも適用可能である。
【０１１９】
以下、図９から図１１に基づいて、本発明の他の一実施形態による液晶表示装置について説明する。図９は、本発明の他の一実施形態による液晶表示装置の一部の画素を示す配置図であり、図１０は、図９の液晶表示装置をＸ-Ｘ線に沿って切り取った断面図であり、図１１は、図９の液晶表示装置をＸＩ-ＸＩ線に沿って切り取った断面図である。
図９から図１１を参照すると、本実施形態による液晶表示装置は、図１、図２Ａ及び図２Ｂに基づいて説明した実施形態による液晶表示装置とほとんど同様である。なお、類似する構成要素についての具体的な説明は省略する。
【０１２０】
本発明の一実施形態による液晶表示装置は、隣り合う複数の画素ＰＸＡ、ＰＸＢ、ＰＸＣを備える。
【０１２１】
複数の画素ＰＸＡ、ＰＸＢ、ＰＸＣは、ゲート線１２１と、共通電圧線１３１と、複数のデータ線１７１と、画素電極１９１及び共通電極２７０を備える。
【０１２２】
共通電圧線１３１は拡張部１３３を有し、共通電圧線１３１の拡張部１３３は共通電圧線１３１と共通電極２７０とを接続するための共通接触孔１８６と重なり合う。接触孔１８６は、間隔材３２５に隣設される。
【０１２３】
接触孔１８６を間隔材３２５に隣設することにより、間隔材３２５と重なり合う遮光部材２２０を用いて、接触孔１８６を遮ることができる。このため、共通電圧線１３１と共通電極２７０とを接続するための共通接触孔１８６を遮るためのさらなる遮光部材を形成しなくてもよい。したがって、液晶表示装置の開口率の低下なしに、共通電圧線１３１と共通電極２７０とを接続するための共通接触孔１８６を形成することができる。
【０１２４】
間隔材３２５は、相対向する２枚の基板の間の間隔、すなわち、セルギャップを一定に調節する役割を果たす。
【０１２５】
共通電圧線１３１の拡張部１３３と、共通接触孔１８６及び間隔材３２５は、２以上のドットごとに一つずつ形成されてもよい。具体的に、６以上の画素ごとに一つずつ形成されてもよい。
【０１２６】
このように、共通電圧線１３１の拡張部１３３を２以上のドットごとに一つずつ形成することにより、共通電圧線１３１と共通電極２７０とを接続するための共通接触孔１８６による液晶表示装置の開口率の低下を防ぐことができる。
【０１２７】
間隔材３２５は、薄膜トランジスターと重なり合う位置に形成されている。しかしながら、間隔材３２５を形成する工程で、所望の位置ではなく、隣り合う他の位置に形成されてもよく、外部の圧力により、間隔材３２５の位置が隣り合う領域に変化してもよい。したがって、間隔材３２５と重なり合う遮光部材の幅は間隔材３２５の幅よりも広く形成する。
【０１２８】
本発明の実施形態による液晶表示装置によれば、共通電圧線１３１の拡張部１３３と共通電極２７０とを接続するための共通接触孔１８６を間隔材３２５に隣設することにより、間隔材３２５と重なり合う遮光部材を用いて、接触孔１８６を遮ることができる。このため、共通電圧線１３１と共通電極２７０とを接続するための共通接触孔１８６を遮るためのさらなる遮光部材を形成しなくても、共通接触孔１８６を遮光部材２２０で遮ることができる。したがって、液晶表示装置の開口率の低下なしに、共通電圧線１３１と共通電極２７０とを接続するための共通接触孔１８６を形成することができる。
【０１２９】
図９から図１１を参照すると、図１、図２Ａ及び図２Ｂに基づいて説明した実施形態による液晶表示装置とは異なり、本実施形態による液晶表示装置は、共通電圧線１３１から延出した第７延長部１３６ａと第８延長部１３６ｂをさらに備える。
【０１３０】
共通電圧線１３１の第７延長部１３６ａは各データ線１７１を基準としてデータ線１７１の左側に配設されて、データ線１７１に沿って上方に伸びており、第８延長部１３６ｂはデータ線１７１の右側に配設されて、データ線１７１に沿って下方に伸びている。しかしながら、本発明の他の一実施形態による液晶表示装置によれば、第７延長部１３６ａは各データ線１７１を基準としてデータ線１７１の右側に配設されて、データ線１７１に沿って下方に伸びており、第８延長部１３６ｂはデータ線１７１の左側に配設されて、データ線１７１に沿って上方に伸びていてもよい。
【０１３１】
このように、データ線１７１の両側にデータ線１７１と重なり合う共通電圧線１３１の第７延長部１３６ａ及び第８延長部１３６ｂを形成すれば、データ線１７１の下部でデータ線１７１と重なり合う共通電圧線１３１の第７延長部１３６ａ及び第８延長部１３６ｂとデータ線１７１との間にカップリングが形成され、このようなカップリングにより、データ線１７１の上部でデータ線１７１と重なり合う共通電極２７０とデータ線１７１との間に形成されるカップリングの影響が低減される。したがって、データ線１７１と共通電極２７０との間の不要なカップリングの影響力を低減してデータ線１７１と共通電極２７０との間の不要なカップリングによる表示品質の低下を防ぐことができる。
【０１３２】
また、データ線１７１と少なくとも一部分重なり合う共通電圧線１３１の第７延長部１３６ａ及び第８延長部１３６ｂを形成することにより、データ線１７１と重なり合う遮光部材の幅を小さく形成しながらも、データ線１７１と隣り合う部分で発生し得る光漏れを防ぐことができる。
【０１３３】
図１、図２Ａ及び図２Ｂ、並びに図３に基づいて上述した実施形態による液晶表示装置の多くの特徴は、本実施形態による液晶表示装置にいずれも適用可能である。
【０１３４】
以下、図１２から図１４に基づいて、本発明の他の一実施形態による液晶表示装置について説明する。図１２は、本発明の他の一実施形態による液晶表示装置の一部の画素を示す配置図であり、図１３は、図１２の液晶表示装置をＸＩＩＩ-ＸＩＩＩ線に沿って切り取った断面図であり、図１４は、図１２の液晶表示装置をＸＩＶ-ＸＩＶ線に沿って切り取った断面図である。
【０１３５】
図１２から図１４を参照すると、本実施形態による液晶表示装置は、図１、図２Ａ及び図２Ｂに基づいて説明した実施形態による液晶表示装置とほとんど同様である。なお、類似する構成要素についての具体的な説明は省略する。
【０１３６】
本発明の一実施形態による液晶表示装置は、隣り合う複数の画素ＰＸＡ、ＰＸＢ、ＰＸＣを備える。
【０１３７】
複数の画素ＰＸＡ、ＰＸＢ、ＰＸＣは、ゲート線１２１と、共通電圧線１３１と、複数のデータ線１７１と、画素電極１９１及び共通電極２７０を備える。
【０１３８】
共通電圧線１３１は拡張部１３３を有し、共通電圧線１３１の拡張部１３３は共通電圧線１３１と共通電極２７０とを接続するための共通接触孔１８６と重なり合う。接触孔１８６は、間隔材３２５に隣設される。
【０１３９】
接触孔１８６を間隔材３２５に隣設することにより、間隔材３２５と重なり合う遮光部材２２０を用いて、接触孔１８６を遮ることができる。このため、共通電圧線１３１と共通電極２７０とを接続するための共通接触孔１８６を遮るためのさらなる遮光部材を形成しなくてもよい。したがって、液晶表示装置の開口率の低下なしに、共通電圧線１３１と共通電極２７０とを接続するための共通接触孔１８６を形成することができる。
【０１４０】
間隔材３２５は、相対向する２枚の基板の間の間隔、すなわち、セルギャップを一定に調節する役割を果たす。
【０１４１】
共通電圧線１３１の拡張部１３３と、共通接触孔１８６及び間隔材３２５は、２以上のドットごとに一つずつ形成されてもよい。具体的に、６以上の画素ごとに一つずつ形成されてもよい。
【０１４２】
このように、共通電圧線１３１の拡張部１３３を２以上のドットごとに一つずつ形成することにより、共通電圧線１３１と共通電極２７０とを接続するための共通接触孔１８６による液晶表示装置の開口率の低下を防ぐことができる。
【０１４３】
間隔材３２５は、薄膜トランジスターと重なり合う位置に形成されている。しかしながら、間隔材３２５を形成する工程で、所望の位置ではなく、隣り合う他の位置に形成されてもよく、外部の圧力により、間隔材３２５の位置が隣り合う領域に変化してもよい。したがって、間隔材３２５と重なり合う遮光部材の幅は間隔材３２５の幅よりも広く形成する。
【０１４４】
本発明の実施形態による液晶表示装置によれば、共通電圧線１３１の拡張部１３３と共通電極２７０とを接続するための共通接触孔１８６を間隔材３２５に隣設することにより、間隔材３２５と重なり合う遮光部材を用いて、接触孔１８６を遮ることができる。このため、共通電圧線１３１と共通電極２７０とを接続するための共通接触孔１８６を遮るためのさらなる遮光部材を形成しなくても、共通接触孔１８６を遮光部材２２０で遮ることができる。したがって、液晶表示装置の開口率の低下なしに、共通電圧線１３１と共通電極２７０とを接続するための共通接触孔１８６を形成することができる。
【０１４５】
図１２から図１４を参照すると、図１、図２Ａ及び図２Ｂに基づいて説明した実施形態による液晶表示装置とは異なり、本実施形態による液晶表示装置における共通電圧線１３１と拡張部１３３とを接続する接続部１３２は、データ線１７１を基準として左側に配設される第１縦部１３７ａと、データ線１７１を基準として右側に配設される第２縦部１３７ｂと、第１縦部１３７ａと第２縦部１３７ｂとを接続する横部１３７ｃと、を備える。共通電圧線１３１から第２縦部１３７ｂが延出し、第２縦部１３７ｂから横部１３７ｃが延出し、横部１３７ｃから第１縦部１３７ａが延出した後に、第１縦部１３７ａから拡張部１３３が延出する。
【０１４６】
このように、共通電圧線１３１の接続部１３２を、データ線１７１を基準として左側に配設される第１縦部１３７ａとデータ線１７１を基準として右側に配設される第２縦部１３７ｂと、第１縦部１３７ａと第２縦部１３７ｂとを接続する横部１３７ｃと、を備えるように形成することにより、共通電圧線１３１の接続部１３２とデータ線１７１を形成するとき、左右誤整列が発生する場合であっても、共通電圧線１３１の接続部１３２とデータ線１７１との重合面積を一定に維持することができる。
【０１４７】
図１、図２Ａ及び図２Ｂ、並びに図３に基づいて上述した実施形態による液晶表示装置の多くの特徴は、本実施形態による液晶表示装置にいずれも適用可能である。
【０１４８】
図１５及び図１６に基づいて、本発明の他の一実施形態による液晶表示装置について説明する。図１５は、本発明の他の一実施形態による液晶表示装置の一部の画素を示す配置図であり、図１６は、図１５の液晶表示装置をＸＶＩ-ＸＶＩ線に沿って切り取った断面図である。
【０１４９】
図１５及び図１６を参照すると、本実施形態による液晶表示装置は、図１、図２Ａ及び図２Ｂに基づいて説明した実施形態による液晶表示装置とほとんど同様である。なお、類似する構成要素についての具体的な説明は省略する。
【０１５０】
本発明の一実施形態による液晶表示装置は、隣り合う複数の画素ＰＸＡ、ＰＡＢ、ＰＸＣを備える。
【０１５１】
複数の画素ＰＸＡ、ＰＸＢ、ＰＸＣは、ゲート線１２１と、共通電圧線１３１と、複数のデータ線１７１と、画素電極１９１及び共通電極２７０を備える。
【０１５２】
共通電圧線１３１は拡張部１３３を有し、共通電圧線１３１の拡張部１３３は共通電圧線１３１と共通電極２７０とを接続するための共通接触孔１８６と重なり合う。接触孔１８６は、間隔材３２５に隣設される。
【０１５３】
接触孔１８６を間隔材３２５に隣設することにより、間隔材３２５と重なり合う遮光部材２２０を用いて、接触孔１８６を遮ることができる。このため、共通電圧線１３１と共通電極２７０とを接続するための共通接触孔１８６を遮るためのさらなる遮光部材を形成しなくてもよい。したがって、液晶表示装置の開口率の低下なしに、共通電圧線１３１と共通電極２７０とを接続するための共通接触孔１８６を形成することができる。
【０１５４】
間隔材３２５は、相対向する２枚の基板の間の間隔、すなわち、セルギャップを一定に調節する役割を果たす。
【０１５５】
共通電圧線１３１の拡張部１３３と、共通接触孔１８６及び間隔材３２５は、２以上のドットごとに一つずつ形成されてもよい。具体的に、６以上の画素ごとに一つずつ形成されてもよい。
【０１５６】
このように、共通電圧線１３１の拡張部１３３を２以上のドットごとに一つずつ形成することにより、共通電圧線１３１と共通電極２７０とを接続するための共通接触孔１８６による液晶表示装置の開口率の低下を防ぐことができる。
【０１５７】
間隔材３２５は、薄膜トランジスターと重なり合う位置に形成されている。しかしながら、間隔材３２５を形成する工程で、所望の位置ではなく、隣り合う他の位置に形成されてもよく、外部の圧力により、間隔材３２５の位置が隣り合う領域に変化してもよい。したがって、間隔材３２５と重なり合う遮光部材の幅は間隔材３２５の幅よりも広く形成する。
【０１５８】
本発明の実施形態による液晶表示装置によれば、共通電圧線１３１の拡張部１３３と共通電極２７０とを接続するための共通接触孔１８６を間隔材３２５に隣設することにより、間隔材３２５と重なり合う遮光部材を用いて、接触孔１８６を遮ることができる。このため、共通電圧線１３１と共通電極２７０とを接続するための共通接触孔１８６を遮るためのさらなる遮光部材を形成しなくても、共通接触孔１８６を遮光部材２２０で遮ることができる。したがって、液晶表示装置の開口率の低下なしに、共通電圧線１３１と共通電極２７０とを接続するための共通接触孔１８６を形成することができる。
【０１５９】
図１５及び図１６を参照すると、図１、図２Ａ及び図２Ｂに基づいて説明した実施形態による液晶表示装置とは異なり、本実施形態による液晶表示装置は、共通電圧線１３１から延出した第９延長部１３８をさらに備える。
【０１６０】
共通電圧線１３１の第９延長部１３８は共通電圧線１３１からデータ線１７１に沿って上方及び下方に伸びており、第９延長部１３８の幅はデータ線１７１の幅よりも広くてもよい。
【０１６１】
このように、データ線１７１と重なり合う第９延長部１３８を形成すれば、データ線１７１の下方でデータ線１７１と重なり合う共通電圧線１３１の第９延長部１３８とデータ線１７１との間にカップリングが形成され、このようなカップリングにより、データ線１７１の上方でデータ線１７１と重なり合う共通電極２７０とデータ線１７１との間に形成されるカップリングの影響が低減される。したがって、データ線１７１と共通電極２７０との間の不要なカップリングの影響力を低減してデータ線１７１と共通電極２７０との間の不要なカップリングによる表示品質の低下を防ぐことができる。
【０１６２】
また、データ線１７１と重なり合う共通電圧線１３１の第９延長部１３８を形成することにより、データ線１７１と重なり合う遮光部材の幅を小さく形成しながらも、データ線１７１と隣り合う部分で発生し得る光漏れを防ぐことができる。
【０１６３】
図１、図２Ａ及び図２Ｂ、並びに図３に基づいて上述した実施形態による液晶表示装置の多くの特徴は、本実施形態による液晶表示装置にいずれも適用可能である。
【０１６４】
以下、図１７及び図１８に基づいて、本発明の他の一実施形態による液晶表示装置について説明する。図１７は、本発明の他の一実施形態による液晶表示装置の一部の画素を示す配置図であり、図１８は、図１７の液晶表示装置をＸＶＩＩＩ-ＸＶＩＩＩ線に沿って切り取った断面図である。
【０１６５】
図１７及び図１８を参照すると、本実施形態による液晶表示装置は、図１、図２Ａ及び図２Ｂに基づいて説明した実施形態による液晶表示装置とほとんど同様である。なお、類似する構成要素についての具体的な説明は省略する。
【０１６６】
本発明の一実施形態による液晶表示装置は、隣り合う複数の画素ＰＸＡ、ＰＸＢ、ＰＸＣを備える。
【０１６７】
複数の画素ＰＸＡ、ＰＡＢ、ＰＸＣは、ゲート線１２１と、共通電圧線１３１と、複数のデータ線１７１と、画素電極１９１及び共通電極２７０を備える。
【０１６８】
共通電圧線１３１は拡張部１３３を有し、共通電圧線１３１の拡張部１３３は共通電圧線１３１と共通電極２７０とを接続するための共通接触孔１８６と重なり合う。接触孔１８６は、間隔材３２５に隣設される。
【０１６９】
接触孔１８６を間隔材３２５に隣設することにより、間隔材３２５と重なり合う遮光部材２２０を用いて、接触孔１８６を遮ることができる。このため、共通電圧線１３１と共通電極２７０とを接続するための共通接触孔１８６を遮るためのさらなる遮光部材を形成しなくてもよい。したがって、液晶表示装置の開口率の低下なしに、共通電圧線１３１と共通電極２７０とを接続するための共通接触孔１８６を形成することができる。
【０１７０】
間隔材３２５は、相対向する２枚の基板の間の間隔、すなわち、セルギャップを一定に調節する役割を果たす。
【０１７１】
共通電圧線１３１の拡張部１３３と、共通接触孔１８６及び間隔材３２５は、２以上のドットごとに一つずつ形成されてもよい。具体的に、６以上の画素ごとに一つずつ形成されてもよい。
【０１７２】
このように、共通電圧線１３１の拡張部１３３を２以上のドットごとに一つずつ形成することにより、共通電圧線１３１と共通電極２７０とを接続するための共通接触孔１８６による液晶表示装置の開口率の低下を防ぐことができる。
【０１７３】
間隔材３２５は、薄膜トランジスターと重なり合う位置に形成されている。しかしながら、間隔材３２５を形成する工程で、所望の位置ではなく、隣り合う他の位置に形成されてもよく、外部の圧力により、間隔材３２５の位置が隣り合う領域に変化してもよい。したがって、間隔材３２５と重なり合う遮光部材の幅は間隔材３２５の幅よりも広く形成する。
【０１７４】
本発明の実施形態による液晶表示装置によれば、共通電圧線１３１の拡張部１３３と共通電極２７０とを接続するための共通接触孔１８６を間隔材３２５に隣設することにより、間隔材３２５と重なり合う遮光部材を用いて、接触孔１８６を遮ることができる。このため、共通電圧線１３１と共通電極２７０とを接続するための共通接触孔１８６を遮るためのさらなる遮光部材を形成しなくても、共通接触孔１８６を遮光部材２２０で遮ることができる。したがって、液晶表示装置の開口率の低下なしに、共通電圧線１３１と共通電極２７０とを接続するための共通接触孔１８６を形成することができる。
【０１７５】
図１７及び図１８を参照すると、図１、図２Ａ及び図２Ｂに基づいて説明した実施形態による液晶表示装置とは異なり、本実施形態による液晶表示装置は、共通電圧線１３１と同じ層からなり、データ線１７１と重なり合う遮断層１３９をさらに備える。
【０１７６】
遮断層１３９は、データ線１７１に沿って上方及び下方に伸びている。
【０１７７】
このように、データ線１７１と重なり合う遮断層１３９を形成することにより、データ線１７１と重なり合う遮光部材の幅を小さく形成しながらも、データ線１７１と隣り合う部分で発生し得る光漏れを防ぐことができる。
以上、本発明の実施形態について詳細に説明したが、本発明の権利範囲はこれに何ら限定されるものではなく、下記の特許請求の範囲において定義している本発明の基本概念を用いた当業者の種々の変形及び改良形態もまた本発明の権利範囲に属する。
【図１Ａ】
2015018246.tif 000003
【図１Ｂ】
2015018246.tif 000004
【図２Ａ】
2015018246.tif 000005
【図２Ｂ】
2015018246.tif 000006
【図３】
2015018246.tif 000007
【図４】
2015018246.tif 000008
【図５】
2015018246.tif 000009
【図６】
2015018246.tif 000010
【図７】
2015018246.tif 000011
【図８】
2015018246.tif 000012
【図９】
2015018246.tif 000013
【図１０】
2015018246.tif 000014
【図１１】
2015018246.tif 000015
【図１２】
2015018246.tif 000016
【図１３】
2015018246.tif 000017
【図１４】
2015018246.tif 000018
【図１５】
2015018246.tif 000019
【図１６】
2015018246.tif 000020
【図１７】
2015018246.tif 000021
【図１８】
2015018246.tif 000022